(57)【要約】      （修正有）【課題】廉価な構成で、集塵袋をバスケット体から容易に取り出すことができる使用性に優れた電気掃除機を提供する。【解決手段】吸引風を発する電動送風機２２および集塵室２７を内蔵する掃除機本体１２と、塵埃を捕集する集塵袋３１が装着される集塵袋ホルダー３３を具備したバスケット体３０を備え、前記バスケット体３０は、前記集塵室２７に着脱自在に装着されるとともに、前記集塵袋ホルダー３３にハンドル３５を設けたもので、集塵袋ホルダー３３とハンドル３５が一体物となり部品点数が削減され廉価な構成となる。また集塵袋３１を廃棄する際、バスケット体３０に形成されたハンドル３５を持って、集塵室２７内から取り出し、そのまま、集塵袋ホルダー３３に係止されている集塵袋３１を取り出すことが可能となり、ごみ捨て動作が容易となり、使用性が向上する。【選択図】図２
2010264050.tif 000002
【特許請求の範囲】
【請求項１】
厨房キャビネット内の上部に食器洗い機を、前記食器洗い機の略下部に生ごみ処理機をそれぞれ設け、前記生ごみ処理機は、生ごみを収納する生ごみ収納容器と、前記生ごみを加熱乾燥させるための加熱手段と、前記生ごみ収納容器に連通し前記生ごみ収納容器内の空気を排出する排気経路と排気手段を有し、前記食器洗い機の排水を連通管を介して前記生ごみ処理機に連通させたことを特徴とする厨房キャビネット。
【請求項２】
厨房キャビネットの上面に設けられ下部に生ごみを投入するための生ごみ投入口を有する流し台を備え、前記生ごみ投入口も生ごみ処理機に連通させた請求項１に記載の厨房キャビネット。
【請求項３】
固体と液体を分離する固液分離装置を備え、前記固液分離装置に連通管の一端を連通させた請求項１又は２に記載の厨房キャビネット。
【請求項４】
凝縮装置を設け、生ごみ処理機と食器洗い機から発生する蒸気を前記凝縮装置で凝縮させてから外部に排気する請求項１〜３のいずれか１項に記載の厨房キャビネット。
【請求項５】
排気手段の前段に脱臭装置を設け、前記排気手段は、生ごみ処理機の動作時に、生ごみ収納容器内が常に負圧になるように吸引する請求項１〜４のいずれか１項に記載の厨房キャビネット。
【請求項６】
連通管の少なくとも１箇所に、生ごみ処理機側が負圧の時に開き、正圧の時には閉まる圧力弁を設けた請求項１〜５のいずれか１項に記載の厨房キャビネット。
【請求項７】
連通管に、生ごみ処理機もしくは食器洗い機の少なくとも何れか一方の動作に連動して開閉する弁を設けた請求項１〜５のいずれか１項に記載の厨房キャビネット。
【発明の詳細な説明】
【技術分野】
【０００１】
本発明は、集塵袋を収納するバスケット体を備えた電気掃除機に関するものである。
【背景技術】
【０００２】
従来のこの種の電気掃除機は、特許文献１に記載されているようなものが一般的であった。この電気掃除機について、図７を用いて説明する。図７は、従来の電気掃除機の掃除機本体の要部断面図である。
【０００３】
従来の電気掃除機において、掃除機本体１の前方には、塵埃を捕集する集塵袋２を収納した集塵室３と、後方側には、吸引風を発する電動送風機４を内蔵した電動送風機室（図示せず）とを有している。また、前記集塵室３の後方に回動自在に軸支されて前記集塵室３の上面を開閉自在に覆う集塵蓋５が備えられている。前記集塵室３内には、前記集塵袋２が装着され、前記集塵室３内に着脱自在に配設されるバスケット体６が備えられている。また、前記バスケット体６の前壁には、持運び用の取っ手８及び、集塵袋２を固定させる集塵袋ホルダー９がそれぞれ設けられている。
【先行技術文献】
【特許文献】
【０００４】
【特許文献１】特開２０００−０７０１９４号公報
【発明の概要】
【発明が解決しようとする課題】
【０００５】
しかしながら、上記従来の電気掃除機の構成では、取っ手８及び、集塵袋２を固定させる集塵袋ホルダー９がそれぞれ設けられている為、部品点数が多く高価となっていた。また、集塵袋２がゴミなどで満杯になり、それを廃棄する際、バスケット体６に形成された取っ手８を持って、集塵室３内から取り出し、次に、集塵袋２を固定している集塵袋ホルダー９を解除して、集塵袋２を取り出ださねばならず、集塵袋２のごみ捨て動作が面倒であった。
【０００６】
本発明は、上記従来の課題を解決するものであって、廉価な構成で、集塵袋をバスケット体から容易に取り出すことができる使用性に優れた電気掃除機を提供することを目的とする。
【課題を解決するための手段】
【０００７】
上記従来の課題を解決するために、本発明の電気掃除機は、吸引風を発する電動送風機および集塵室を内蔵する掃除機本体と、塵埃を捕集する集塵袋が装着される集塵袋ホルダーを具備したバスケット体を備え、前記バスケット体は、前記集塵室に着脱自在に装着されるとともに、前記集塵袋ホルダーにハンドルを設けたもので、集塵袋ホルダーとハンドルが一体物となり部品点数が削減され廉価な構成となる。また集塵袋を廃棄する際、バスケット体に形成されたハンドルを持って、集塵室内から取り出し、そのまま、集塵袋ホルダーに係止されている集塵袋を取り出すことが可能となり、ごみ捨て動作が容易となり、使用性が向上する。
【発明の効果】
【０００８】
本発明の電気掃除機は、廉価な構成で、集塵袋をバスケット体から容易に取り出し、廃棄することができ、使用性に優れたものである。
【図面の簡単な説明】
【０００９】
【図１】本発明の実施の形態１における電気掃除機の全体斜視図
【図２】同電気掃除機の断面図
【図３】同電気掃除機のバスケット体を示した斜視図
【図４】同電気掃除機とバスケット体を示した斜視図
【図５】同電気掃除機からバスケット体のハンドルを取出した時の動作図
【図６】図２のＡ−Ａ断面図
【図７】従来の電気掃除機の掃除機本体の要部断面図
【発明を実施するための形態】
【００１０】
第１の発明は、吸引風を発する電動送風機および集塵室を内蔵する掃除機本体と、塵埃を捕集する集塵袋が装着される集塵袋ホルダーを具備したバスケット体を備え、前記バスケット体は、前記集塵室に着脱自在に装着されるとともに、前記集塵袋ホルダーにハンドルを設けたもので、集塵袋ホルダーとハンドルが一体物となり部品点数が削減され廉価な構成となる。また集塵袋を廃棄する際、バスケット体に形成されたハンドルを持って、集塵室内から取り出し、そのまま、集塵袋ホルダーに係止されている集塵袋を取り出すことが可能となり、ごみ捨て動作が容易となり、使用性が向上する。
【００１１】
第２の発明は、特に、第１の発明のハンドルを、集塵袋ホルダーの側面で略Ｌ字状に形成したもので、使用者がハンドルを持つ時、ハンドルの略Ｌ字状部が、使用者の指にかかり、すべりおちたりすることなく、持ち運びが容易となる。
【００１２】
第３の発明は、特に、第１又は第２の発明のハンドルの外周端部を略Ｒ字状に形成したもので、容易に集塵袋を傷つけることを防止し、また、集塵袋が塵埃で一杯になった時でも、集塵袋の破れを防止させることが可能となる。
【００１３】
第４の発明は、特に、第１〜３のいずれか一つの発明のハンドルの外周端部を斜めに傾斜させたもので、集塵袋を通り抜けた微細な塵埃がハンドルの略Ｌ字状部に溜まっても、傾斜面より滑り落ち、塵埃が廃棄され、手で触るハンドルを、常に清潔に保つことができる。
【００１４】
第５の発明は、特に、第１〜４のいずれか一つの発明のハンドルの外周端部を、集塵袋ホルダーより上方に配設したもので、集塵袋が塵埃で一杯になった時、ハンドルに形成した略Ｌ字状部が、集塵袋の広がりを妨げることがなくなり集塵室内のスペースを有効活用することができる。その結果、効率よく集塵容積を増やすことが可能となる。
【００１５】
以下、本発明の実施の形態について、図面を参照しながら説明する。なお、この実施の形態によって本発明が限定されるものではない。
【００１６】
（実施の形態１）
本発明の第１の実施の形態における電気掃除機について、図１〜図６を用いて説明する。
【００１７】
図１は、本実施の形態における電気掃除機の全体斜視図、図２は、同電気掃除機の断面図である。図３は、同電気掃除機のバスケット体を示した斜視図、図４は、同電気掃除機とバスケット体を示した斜視図、図５は、同電気掃除機からバスケット体のハンドルを取出した時の動作図である。図６は、図２のＡ−Ａ断面図である。
【００１８】
図１、２において、掃除機本体１２は、一端に手元ハンドル１３を有し他端にホース継ぎ手１４を有するホース１５を介して延長管１６に連結され、さらに延長管１６に取り付
けられ塵埃を吸引する吸込具１７に連通している。また、掃除機本体１２の底面には、枢支された１個の前輪キャスター１８と一対の後輪キャスター１９とを備えている。
【００１９】
この掃除機本体１２は、図２に示すように、下本体２０と上本体２１とで外郭を構成している。この掃除機本体１２の後方側に、吸引風を発する電動送風機２２が配設されており、その前方を第１サポートゴム２３、後方を第２サポートゴム２４を介して第１モーターカバー２５と第２モーターカバー２６により支持され、下本体２０に装着し固定するようにしている。
【００２０】
掃除機本体１２の前方側には、集塵室２７が形成され、集塵室２７上方には、この集塵室２７を覆う集塵蓋２８が配置され、集塵蓋２８は、上本体２１に形成された支軸２９を中心に回動自在に構成されている。
【００２１】
図２、図３で示すように、集塵室２７内には、上方開放された略箱状に形成されたバスケット体３０が、集塵室２７に着脱自在に具備されおり、集塵蓋２８を開くことより、集塵室２７内に装着されたバスケット体３０は、集塵室２７内から取出すことが可能となっており、このバスケット体３０のホース継ぎ手１４側には、集塵袋３１の口芯３２が装着される集塵袋ホルダー３３が回動自在に取着されている。
【００２２】
また、集塵袋３１の口芯３２は、集塵袋ホルダー３３に形成されたコ字状のリブ体３４に挿入することより摺動自在で嵌合されている。また、集塵袋ホルダー３３の両端には、バスケット体３０を持運ぶためのハンドル３５が設けられている。
【００２３】
以上のように構成された本実施の形態における電気掃除機のバスケット体３０について、以下その動作、作用を説明する。
【００２４】
図４、図５において、集塵蓋２８を開け、掃除機本体１２より集塵袋３１を取り出し廃棄する際、集塵袋ホルダー３３の両端に形成されたハンドル３５を持ってバスケット体３０を引き出すこととなり、集塵袋ホルダー３３とハンドル３５が一体物となり部品点数が削減され廉価な構成で使用性が向上する。
【００２５】
また、図５で示すように、集塵袋ホルダー３３のハンドル３５を持って、バスケット体３０を傾けることにより、集塵袋３１の口芯３２は、集塵袋ホルダー３３に形成されたコ字状のリブ体３４から自重で摺動し、集塵袋３１は、バスケット体３０から容易に自然落下し、容易に廃棄することができる。
【００２６】
また、図３、図６に示すように、本実施の形態では、集塵袋ホルダー３３の両端に形成されたハンドル３５は、この集塵袋ホルダー３３の側面で略Ｌ字状３６に形成されているので、使用者がハンドル３５を持つ時、ハンドル３５の略Ｌ字状３６部が、使用者の指にかかり、すべりおちたりすることがなく、使用性が向上する。
【００２７】
また、図６に示すように、集塵袋ホルダー３３の両端に形成された略Ｌ  字状３６のハンドル３５の外周端部３７は、略Ｒ字状３８に形成されている。
【００２８】
上記構成により、集塵袋３１を傷つけることを防止し、また、集塵袋３１が塵埃で一杯になった時でも、集塵袋３１の破れを防止することが出来る。
【００２９】
また、図３、図６に示すように、集塵袋ホルダー３３に形成した略Ｌ字状３６のハンドル３５の外周端部３７は、斜め３９に傾斜されて構成されている。このことより、集塵袋３１を通り抜けた微細な塵埃がハンドル３５の略Ｌ字状３６部に溜まっても、斜め３９の
傾斜面より滑り落ち、塵埃が廃棄され手で触るハンドル３５の略Ｌ  字状３６部を、常に清潔に保つことができる。
【００３０】
また、図２〜図６に示すように、ハンドル３５に形成した略Ｌ字状３６の取っ手となる外周端部３７を、集塵袋３１の口芯３２が装着される集塵袋ホルダー３３より上方に配設している。
【００３１】
上記構成により、集塵袋３１が塵埃で一杯になった時、ハンドル３５に形成した略Ｌ字状３６部は、集塵袋３１の広がりを妨げることがなく、集塵室２７内のスペースを有効活用し、その結果、効率よく集塵容積を増やすことが可能となる。
【産業上の利用可能性】
【００３２】
以上のように、本発明に係る電気掃除機は、廉価な構成で、集塵袋をバスケット体から容易に取り出すことができる使用性に優れたもので、家庭用、業務用の各種電気掃除機に適用できる。
【符号の説明】
【００３３】
１２  掃除機本体  
２２  電動送風機
２７  集塵室
３０  バスケット体
３１  集塵袋
３３  集塵袋ホルダー
３５  ハンドル
３６  略Ｌ字状
３８  略Ｒ字状
３９  斜め
【図１】
2010264050.tif 000003
【図２】
2010264050.tif 000004
【図３】
2010264050.tif 000005
【図４】
2010264050.tif 000006
【図５】
2010264050.tif 000007
【図６】
2010264050.tif 000008
【図７】
2010264050.tif 000009